(57)【要約】【課題】放電部に対するめっき液の侵入を抑制する。【解決手段】静電気保護部品１Ａは、対向電極１２，１４，１６，１８及びグラウンド電極２０を備える。対向電極１２，１４，１６，１８は、第１引出部１２ａ，１４ａ，１６ａ，１８ａ及び第１対向部１２ｂ，１４ｂ，１６ｂ，１８ｂを有し、グラウンド電極２０は、第２引出部２０ａ，２０ｂ及び第２対向部２０ｃ，２０ｄを有する。対向電極１２，１４，１６，１８及びグラウンド電極２０における各対向部は同一の層内に配置されている。対向電極１２，１４，１６，１８及びグラウンド電極２０の少なくとも１つにおいて、各引出部と各対向部とが、異なる層に配置されていると共にスルーホール導体１３，１５，１７，１９，２１，２２を介して電気的に接続されている。【選択図】図３
2015125914.tif 000002
【特許請求の範囲】
【請求項１】
複数の絶縁体層が積層されてなる素体と、
前記素体の内部に配置されたグラウンド電極と、
前記グラウンド電極と離間して配置され、前記グラウンド電極とで一の放電部を構成する第１対向電極と、
前記グラウンド電極と離間して配置され、前記グラウンド電極とで一の放電部を構成する第２対向電極と、
前記グラウンド電極、前記第１対向電極、及び前記第２対向電極のいずれか毎に対応して設けられた複数の外部電極と、
を備え、
前記グラウンド電極と、前記第１対向電極と、前記第２対向電極とは、前記複数の外部電極のうち対応する外部電極に接続される引出部と、前記引出部に電気的に接続され且つ対応する前記放電部を構成する対向部と、をそれぞれ有し、
前記グラウンド電極の前記対向部、前記第１対向電極の前記対向部、及び前記第２対向電極の前記対向部が、同一の層に配置され、
前記グラウンド電極、前記第１対向電極、及び前記第２対向電極のうち少なくとも１つにおいて、前記引出部と前記対向部とが、異なる層に配置されていると共にスルーホール導体を介して電気的に接続されている、静電気保護部品。
【請求項２】
前記グラウンド電極において、前記引出部と前記対向部とが、異なる層に配置されていると共にスルーホール導体を介して電気的に接続されている、
請求項１に記載の静電気保護部品。
【請求項３】
前記第１対向電極及び前記第２対向電極において、前記引出部と前記対向部とが、異なる層に配置されていると共にスルーホール導体を介して電気的に接続されている、請求項２に記載の静電気保護部品。
【請求項４】
各前記引出部は、前記複数の外部電極のうち対応する外部電極に接続される一端において、前記素体から露出しており、
前記グラウンド電極の前記対向部は、前記第１対向電極の前記対向部よりも、前記第１対向電極の前記引出部が露出する側の前記素体の外表面に近い位置に配置され、且つ、前記第２対向電極の前記対向部よりも、前記第２対向電極の前記引出部が露出する側の前記素体の外表面に近い位置に配置される、
請求項１〜３の何れか一項に記載の静電気保護部品。
【発明の詳細な説明】
【技術分野】
【０００１】
本発明は、静電気保護部品に関する。
【背景技術】
【０００２】
複数の絶縁体層が積層されてなる素体と、素体の内部において互いに離間して配置された対向電極及びグラウンド電極と、対向電極及びグラウンド電極のいずれか毎に対応して設けられた複数の外部電極と、を備える静電気保護部品が知られている（例えば、特許文献１参照）。特許文献１に記載の静電気保護部品では、対向電極及びグラウンド電極が、同一の層内においてそれぞれ素体の外表面に露出しており、当該素体の外表面に配置された各外部電極と接続されている。
【先行技術文献】
【特許文献】
【０００３】
【特許文献１】特開２０１３−１１４７８８号公報
【発明の概要】
【発明が解決しようとする課題】
【０００４】
上記特許文献１に記載の静電気保護部品では、同一の層内に複数の電極が配置されて、且つ、当該複数の電極が同一の層内において素体の外表面に露出するよう引き出されているので、同一の層内における電極の総面積が多いものとなっている。このため、絶縁体層同士の密着性が悪く、構造上の欠陥が発生する可能性が高くなる。
【０００５】
外部電極は、導電性ペーストを塗布して乾燥させた後に、電気めっきを行うことで形成されるため、静電気保護部品は製造過程において必ずめっき液に曝される。したがって、静電気保護部品に構造上の欠陥が発生し易くなると、絶縁体層に配置された各電極における、素体の外表面へ露出する部分から、素体内にめっき液が侵入し易くなってしまう。その結果、素体内で放電を生じる放電部にまでめっき液が侵入し、当該めっき液によりギャップ部が繋がってショートしてしまうおそれがある。
【０００６】
本発明は、放電部にめっき液が侵入することを抑制することが可能な静電気保護部品を提供することを目的とする。
【課題を解決するための手段】
【０００７】
本発明に係る静電気保護部品は、複数の絶縁体層が積層されてなる素体と、素体の内部に配置されたグラウンド電極と、グラウンド電極と離間して配置され、グラウンド電極とで一の放電部を構成する第１対向電極と、グラウンド電極と離間して配置され、グラウンド電極とで一の放電部を構成する第２対向電極と、グラウンド電極、第１対向電極、及び第２対向電極のいずれか毎に対応して設けられた複数の外部電極と、を備え、グラウンド電極と、第１対向電極と、第２対向電極とは、複数の外部電極のうち対応する外部電極に接続される引出部と、引出部に電気的に接続され且つ対応する放電部を構成する対向部と、をそれぞれ有し、グラウンド電極の対向部、第１対向電極の対向部、及び第２対向電極の対向部が、同一の層に配置され、グラウンド電極、第１対向電極、及び第２対向電極のうち少なくとも１つにおいて、引出部と対向部とが、異なる層に配置されていると共にスルーホール導体を介して電気的に接続されている。
【０００８】
本発明に係る静電気保護部品では、グラウンド電極、第１対向電極、及び第２対向電極のうち少なくとも１つにおいて、引出部と対向部が、異なる層に配置されていると共にスルーホール導体を介して電気的に接続されているので、同一の層内における電極の総面積を少なくすることができる。これにより、絶縁体層同士の密着性が向上するので、構造上の欠陥が生じる可能性を減らすことができ、当該欠陥によるめっき液の侵入を抑制することができる。したがって、グラウンド電極と第１対向電極とで構成される放電部、及び、グラウンド電極と第２対向電極とで構成される放電部にめっき液が侵入することを抑制することができる。
【０００９】
グラウンド電極において、引出部と対向部とが、異なる層に配置されていると共にスルーホール導体を介して電気的に接続されていてもよい。この場合、グラウンド電極、第１対向電極、及び第２対向電極の対向部が配置された層とは別の層にグラウンド電極の引出部が配置されるので、対向部が配置された層においては、グラウンド電極の引出部のパターンによらず、各対向部のパターンを自由に決定することができる。
【００１０】
さらに、第１対向電極及び第２対向電極において、引出部と対向部とが、異なる層に配置されていると共にスルーホール導体を介して電気的に接続されていてもよい。この場合、同一の層内における電極の総面積をより少なくすることができ、絶縁体層同士の密着性が更に向上するので、構造上の欠陥が生じる可能性をより減らすことができ、当該欠陥によるめっき液の侵入を一層抑制することができる。したがって、放電部にめっき液が侵入することをより確実に抑制することができる。
【００１１】
各引出部は、複数の外部電極のうち対応する外部電極に接続される一端において、素体から露出しており、グラウンド電極の対向部は、第１対向電極の対向部よりも、第１対向電極の引出部が露出する側の素体の外表面に近い位置に配置され、且つ、第２対向電極の対向部よりも、第２対向電極の引出部が露出する側の素体の外表面に近い位置に配置されてもよい。この場合、第１対向電極の対向部又は第２対向電極の対向部は、グラウンド電極の対向部に比して、素体の外表面から離れて配置されているので、第１対向電極の引出部又は第２対向電極の引出部における素体の外表面側から対向部側までの長さを長くすることができる。これにより、第１対向電極及び第２対向電極における、素体の外表面へ露出する部分から対向部側までの距離を長くすることができ、当該露出する部分から入り込んだめっき液が対向部まで侵入するのを抑制することができる。したがって、対向部が構成する放電部にめっき液が侵入することを抑制することができる。
【発明の効果】
【００１２】
本発明によれば、放電部にめっき液が侵入することを抑制することが可能な静電気保護部品を提供することができる。
【図面の簡単な説明】
【００１３】
【図１】第１〜第５実施形態に係る静電気保護部品を示す斜視図である。
【図２】第１実施形態に係る素体の構成を示す分解斜視図である。
【図３】図２の第１〜第４放電部を含む部分の構成を示す分解斜視図である。
【図４】第１実施形態に係る静電気保護部品の、第１放電部及び第３放電部を含む断面構成を示す図である。
【図５】第１実施形態に係る静電気保護部品の、第２放電部及び第４放電部を含む断面構成を示す図である。
【図６】第１実施形態に係る静電気保護部品の製造方法を示すフロー図である。
【図７】第２実施形態に係る素体の、第１〜第４放電部を含む部分の構成を示す分解斜視図である。
【図８】第２実施形態に係る静電気保護部品の、第１放電部及び第３放電部を含む断面構成を示す図である。
【図９】第２実施形態に係る静電気保護部品の、第２放電部及び第４放電部を含む断面構成を示す図である。
【図１０】第３実施形態に係る素体の、第１〜第４放電部を含む部分の構成を示す分解斜視図である。
【図１１】第３実施形態に係る静電気保護部品の、第１放電部及び第３放電部を含む断面構成を示す図である。
【図１２】第３実施形態に係る静電気保護部品の、第２放電部及び第４放電部を含む断面構成を示す図である。
【図１３】第４実施形態に係る素体の、第１〜第４放電部を含む部分の構成を示す分解斜視図である。
【図１４】第４実施形態に係る静電気保護部品の、第１放電部及び第３放電部を含む断面構成を示す図である。
【図１５】第４実施形態に係る静電気保護部品の、第２放電部及び第４放電部を含む断面構成を示す図である。
【図１６】第５実施形態に係る素体の構成を示す分解斜視図である。
【図１７】第５実施形態に係る静電気保護部品の、第１放電部及び第３放電部を含む断面構成を示す図である。
【図１８】第５実施形態に係る静電気保護部品の、第２放電部及び第４放電部を含む断面構成を示す図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
（第１実施形態）
まず、図１〜図５を参照して、第１実施形態に係る静電気保護部品の構成を説明する。図１は、第１〜第５実施形態に係る静電気保護部品を示す斜視図である。図２は、第１実施形態に係る素体の構成を示す分解斜視図である。図３は、図２の第１〜第４放電部を含む部分の構成を示す分解斜視図である。図４は、第１実施形態に係る静電気保護部品の、第１放電部及び第３放電部を含む断面構成を示す図である。図５は、第１実施形態に係る静電気保護部品の、第２放電部及び第４放電部を含む断面構成を示す図である。
【００１６】
本実施形態に係る静電気保護部品１Ａは、電子機器の回路基板に実装され、ＥＳＤ（Electro-Static  Discharge：静電気放電）から電子機器を保護する電子部品である。図１〜図５に示されるように、静電気保護部品１Ａは、略直方体形状を呈する素体４と、素体４の外表面に配置された外部電極５〜１０と、素体４の内部に配置された対向電極１２，１４，１６，１８と、素体４の内部に配置されたグラウンド電極２０と、素体４の内部に配置された２以上の放電部（第１放電部ＧＰ１、第２放電部ＧＰ２、第３放電部ＧＰ３、及び第４放電部ＧＰ４）と、素体４の内部に配置された放電誘発部２４，２５と、素体４の内部に配置された空洞部２６〜２９と、素体４の内部に配置されたコイルＬ１，Ｌ２と、を備えている。以下、素体４の積層方向をＺ方向（上下方向）、積層方向の端面及び断面における短手方向（以下、単に「素体４の短手方向」という）をＸ方向、長手方向（以下、単に「素体４の長手方向」という）をＹ方向とする。
【００１７】
素体４は、複数の絶縁体層１１が積層されて構成されている。各絶縁体層１１は、略長方形状を有している。各絶縁体層１１は、電気絶縁性を有する絶縁体であり、絶縁体グリーンシートの焼結体から構成される。実際の素体４では、各絶縁体層１１は、その間の境界が視認できない程度に一体化されている。素体４は、外表面として、互いに対向する一対の端面４ａ，４ｂと、端面４ａ，４ｂに隣り合う四つの側面を有している。四つの側面のうち一の側面４ｃは、図示しない他の電子機器（例えば、回路基板又は電子部品など）に対面する面（実装面）として規定されている。
【００１８】
外部電極５は、素体４の側面４ｅに配置されている。外部電極５は、素体４の長手方向（図のＹ方向）における、端面４ｂよりも端面４ａに近い位置に配置されている。外部電極５は、その一部が素体４の側面４ｃ及び素体４の側面４ｄに回り込むようにして形成されている。
【００１９】
外部電極６は、素体４の側面４ｆに配置されている。外部電極６は、素体４の長手方向における、端面４ｂよりも端面４ａに近い位置に配置されている。外部電極６は、その一部が素体４の側面４ｃ及び素体４の側面４ｄに回り込むようにして形成されている。
【００２０】
外部電極７は、素体４の側面４ｅに配置されている。外部電極７は、素体４の長手方向における、端面４ａよりも端面４ｂに近い位置に配置されている。外部電極７は、その一部が素体４の側面４ｃ及び素体４の側面４ｄに回り込むようにして形成されている。
【００２１】
外部電極８は、素体４の側面４ｆに配置されている。外部電極８は、素体４の長手方向における、端面４ａよりも端面４ｂに近い位置に配置されている。外部電極８は、その一部が素体４の側面４ｃ及び素体４の側面４ｄに回り込むようにして形成されている。
【００２２】
外部電極９は、素体４の端面４ａに配置されている。外部電極９は、素体４の短手方向（図のＸ方向）における、略中央の位置に配置されている。外部電極９は、その一部が素体４の側面４ｃ及び素体４の側面４ｄに回り込むようにして形成されている。
【００２３】
外部電極１０は、素体４の端面４ｂに配置されている。外部電極１０は、素体４の短手方向における、略中央の位置に配置されている。外部電極１０は、その一部が素体４の側面４ｃ及び素体４の側面４ｄに回り込むようにして形成されている。
【００２４】
対向電極１２は、素体４の長手方向における、端面４ｂよりも端面４ａに近い位置で、且つ、素体４の短手方向における、側面４ｆよりも側面４ｅに近い位置で配置されている。対向電極１２は、第１引出部１２ａ及び第１対向部１２ｂを有している（図３参照）。第１引出部１２ａと第１対向部１２ｂとは、互いに異なる絶縁体層１１に配置されている。第１引出部１２ａは、素体４の短手方向に沿って延在するＩ字形状を有している。第１引出部１２ａの端部１２ｃは、素体４の側面４ｅ側に引き出され、当該側面４ｅに露出しており、外部電極５に接続される。第１対向部１２ｂは、素体４の長手方向に沿って延在するＩ字形状を有している。第１対向部１２ｂは、第１対向部１２ｂと第１引出部１２ａとの間に位置するスルーホール導体１３を介して、第１引出部１２ａに電気的に接続される。
【００２５】
対向電極１４は、素体４の長手方向における、端面４ａよりも端面４ｂに近い位置で、且つ、素体４の短手方向における、側面４ｆよりも側面４ｅに近い位置で配置されている。対向電極１４は、第１引出部１４ａ及び第１対向部１４ｂを有している。第１引出部１４ａは、対向電極１２の第１対向部１２ｂが配置された層とは別の絶縁体層１１に配置され、第１対向部１４ｂは、対向電極１２の第１対向部１２ｂが配置された層と同一の絶縁体層１１に配置されている。即ち、第１引出部１４ａと第１対向部１４ｂとは、互いに異なる絶縁体層１１に配置されている。第１引出部１４ａは、素体４の短手方向に沿って延在するＩ字形状を有している。第１引出部１４ａの端部１４ｃは、素体４の側面４ｅ側に引き出され、当該側面４ｅに露出しており、外部電極７に接続される。第１対向部１４ｂは、素体４の長手方向に沿って延在するＩ字形状を有している。第１対向部１４ｂは、第１対向部１４ｂと第１引出部１４ａとの間に位置するスルーホール導体１５を介して、第１引出部１４ａに電気的に接続される。
【００２６】
対向電極１６は、素体４の長手方向における、端面４ｂよりも端面４ａに近い位置で、且つ、素体４の短手方向における、側面４ｅよりも側面４ｆに近い位置で配置されている。対向電極１６は、第１引出部１６ａ及び第１対向部１６ｂを有している。第１引出部１６ａは、対向電極１２の第１対向部１２ｂが配置された層とは別の絶縁体層１１に配置され、第１対向部１６ｂは、対向電極１２の第１対向部１２ｂが配置された層と同一の絶縁体層１１に配置されている。即ち、第１引出部１６ａと第１対向部１６ｂとは、互いに異なる絶縁体層１１に配置されている。第１引出部１６ａは、素体４の短手方向に沿って延在するＩ字形状を有している。第１引出部１６ａの端部１６ｃは、素体４の側面４ｆ側に引き出され、当該側面４ｆに露出しており、外部電極６に接続される。第１対向部１６ｂは、素体４の長手方向に沿って延在するＩ字形状を有している。第１対向部１６ｂは、第１対向部１６ｂと第１引出部１６ａとの間に位置するスルーホール導体１７を介して、第１引出部１６ａに電気的に接続される。
【００２７】
対向電極１８は、素体４の長手方向における、端面４ａよりも端面４ｂに近い位置で、且つ、素体４の短手方向における、側面４ｅよりも側面４ｆに近い位置で配置されている。対向電極１８は、第１引出部１８ａ及び第１対向部１８ｂを有している。第１引出部１８ａは、対向電極１２の第１対向部１２ｂが配置された層とは別の絶縁体層１１に配置され、第１対向部１８ｂは、対向電極１２の第１対向部１２ｂが配置された層と同一の絶縁体層１１に配置されている。即ち、第１引出部１８ａと第１対向部１８ｂとは、互いに異なる絶縁体層１１に配置されている。第１引出部１８ａは、素体４の短手方向に沿って延在するＩ字形状を有している。第１引出部１８ａの端部１８ｃは、素体４の側面４ｆ側に引き出され、当該側面４ｆに露出しており、外部電極８に接続される。第１対向部１８ｂは、素体４の長手方向に沿って延在するＩ字形状を有している。第１対向部１８ｂは、第１対向部１８ｂと第１引出部１８ａとの間に位置するスルーホール導体１９を介して、第１引出部１８ａに電気的に接続される。
【００２８】
グラウンド電極２０は、素体４の短手方向における、略中央の位置で配置されている。グラウンド電極２０は、第２引出部２０ａ、第２引出部２０ｂ、第２対向部２０ｃ、及び第２対向部２０ｄを有している。第２引出部２０ａ及び第２引出部２０ｂは、対向電極１２の第１対向部１２ｂが配置された層とは別の絶縁体層１１に配置され、第２対向部２０ｃ及び第２対向部２０ｄは、対向電極１２の第１対向部１２ｂが配置された層と同一の絶縁体層１１に配置されている。即ち、第２引出部２０ａ及び第２引出部２０ｂと、第２対向部２０ｃ及び第２対向部２０ｄとは、互いに異なる絶縁体層１１に配置されている。
【００２９】
第２引出部２０ａは、素体４の長手方向における、端面４ｂよりも端面４ａに近い位置で、且つ、素体４の短手方向における、略中央の位置で配置されている。第２引出部２０ａは、素体４の長手方向に沿って延在するＩ字形状を有している。第２引出部２０ａの端部２０ｇは、素体４の端面４ａ側に引き出され、当該端面４ａに露出しており、外部電極９に接続される。
【００３０】
第２引出部２０ｂは、素体４の長手方向における、端面４ａよりも端面４ｂに近い位置で、且つ、素体４の短手方向における、略中央の位置で配置されている。第２引出部２０ｂは、素体４の長手方向に沿って延在するＩ字形状を有している。第２引出部２０ｂの端部２０ｈは、素体４の端面４ｂ側に引き出され、当該端面４ｂに露出しており、外部電極１０に接続される。
【００３１】
第２対向部２０ｃ及び第２対向部２０ｄは、それぞれ素体４の長手方向に延在している。第２対向部２０ｃの一端と第２対向部２０ｄの一端とは、互いに接続されることにより、接続部２０ｅを構成している。接続部２０ｅは、スルーホール導体２１を介して第２引出部２０ａに電気的に接続される。これにより、第２対向部２０ｃ及び第２対向部２０ｄは、スルーホール導体２１を介して第２引出部２０ａに電気的に接続される。第２対向部２０ｃの他端と第２対向部２０ｄの他端とは、互いに接続されることにより、接続部２０ｆを構成している。接続部２０ｆは、スルーホール導体２２を介して第２引出部２０ｂに電気的に接続される。これにより、第２対向部２０ｃ及び第２対向部２０ｄは、スルーホール導体２２を介して第２引出部２０ｂに電気的に接続される。第２対向部２０ｃ、第２対向部２０ｄ、接続部２０ｅ、及び接続部２０ｆにより、同一の絶縁体層１１上にループ状の導体パターンが形成されている。第２対向部２０ｃと第２対向部２０ｄとは、接続部２０ｅ及び接続部２０ｆを分岐点として互いに分かれて素体４の長手方向に延在している。
【００３２】
第２対向部２０ｃは、対向電極１２の第１対向部１２ｂ及び対向電極１４の第１対向部１４ｂと離間して対向配置されている。これにより、対向電極１２の第１対向部１２ｂとグラウンド電極２０の第２対向部２０ｃとの間に第１放電部ＧＰ１が形成され（図４参照）、対向電極１４の第１対向部１４ｂとグラウンド電極２０の第２対向部２０ｃとの間に第２放電部ＧＰ２が形成される（図５参照）。このような構成により、外部電極５及び外部電極９の間に所定以上の電圧が印加されると、第１放電部ＧＰ１において放電が生じる。同様にして、外部電極７及び外部電極１０の間に所定以上の電圧が印加されると、第２放電部ＧＰ２において放電が生じる。
【００３３】
第２対向部２０ｄは、対向電極１６の第１対向部１６ｂ及び対向電極１８の第１対向部１８ｂと離間して対向配置されている。これにより、対向電極１６の第１対向部１６ｂとグラウンド電極２０の第２対向部２０ｄとの間に第３放電部ＧＰ３が形成され（図４参照）、対向電極１８の第１対向部１８ｂとグラウンド電極２０の第２対向部２０ｄとの間に第４放電部ＧＰ４が形成される（図５参照）。このような構成により、外部電極６及び外部電極９の間に所定以上の電圧が印加されると、第３放電部ＧＰ３において放電が生じる。同様にして、外部電極８及び外部電極１０の間に所定以上の電圧が印加されると、第４放電部ＧＰ４において放電が生じる。
【００３４】
放電誘発部２４は、第１放電部ＧＰ１及び第３放電部ＧＰ３に位置し、第１放電部ＧＰ１及び第３放電部ＧＰ３における放電を発生し易くする機能を有している。放電誘発部２４は、対向電極１２の第１対向部１２ｂとグラウンド電極２０の第２対向部２０ｃとを接続すると共に、対向電極１６の第１対向部１６ｂとグラウンド電極２０の第２対向部２０ｄとを接続している。
【００３５】
放電誘発部２５は、第２放電部ＧＰ２及び第４放電部ＧＰ４に位置し、第２放電部ＧＰ２及び第４放電部ＧＰ４における放電を発生し易くする機能を有している。放電誘発部２５は、対向電極１４の第１対向部１４ｂとグラウンド電極２０の第２対向部２０ｃとを接続すると共に、対向電極１８の第１対向部１８ｂとグラウンド電極２０の第２対向部２０ｄとを接続している。
【００３６】
空洞部２６は、第１放電部ＧＰ１に形成されている。空洞部２６は、第１対向部１２ｂ、第２対向部２０ｃ、絶縁体層１１、及び放電誘発部２４の、放電時における熱膨張を吸収する機能を有する。空洞部２７は、第２放電部ＧＰ２に形成されている。空洞部２７は、第１対向部１４ｂ、第２対向部２０ｃ、絶縁体層１１、及び放電誘発部２５の、放電時における熱膨張を吸収する機能を有する。空洞部２８は、第３放電部ＧＰ３に形成されている。空洞部２８は、第１対向部１６ｂ、第２対向部２０ｄ、絶縁体層１１、及び放電誘発部２４の、放電時における熱膨張を吸収する機能を有する。空洞部２９は、第４放電部ＧＰ４に形成されている。空洞部２９は、第１対向部１８ｂ、第２対向部２０ｄ、絶縁体層１１、及び放電誘発部２５の、放電時における熱膨張を吸収する機能を有する。
【００３７】
コイルＬ１とコイルＬ２とは、絶縁体層１１の積層方向において、対向電極１２，１４，１６，１８及びグラウンド電極２０が配置された層よりも、素体４の側面４ｃの近くに配置されている。コイルＬ１とコイルＬ２とは、素体４の側面４ｃに近い方からコイルＬ２及びコイルＬ１の順に併置されている。コイルＬ１は、素体４の内部において絶縁体層１１の積層方向に併置される複数の内部導体である導体５１及び導体５２の端部同士が、導体５１及び導体５２の間に位置するスルーホール導体５６で接続されることにより構成されている。導体５１は、スパイラル状を呈している。導体５１及び導体５２は、絶縁体層１１の積層方向に、素体４の側面４ｃに近い方から、導体５１及び導体５２の順に併置されている。
【００３８】
導体５１の端部５１ａは、素体４の側面４ｅまで引き出され、当該側面４ｅに露出しており、外部電極５と接続される。導体５２の端部５２ａは、素体４の側面４ｆまで引き出され、当該側面４ｆに露出しており、外部電極６と接続される。よって、コイルＬ１は、外部電極５及び外部電極６と電気的に接続される。
【００３９】
コイルＬ２は、素体４の内部において絶縁体層１１の積層方向に併置される複数の内部導体である導体５３及び導体５４の端部同士が、導体５３及び導体５４の間に位置するスルーホール導体５５で接続されることにより構成されている。導体５４は、スパイラル状を呈している。導体５３及び導体５４は、絶縁体層１１の積層方向に、素体４の側面４ｄに近い方から、導体５３及び導体５４の順に併置されている。
【００４０】
導体５３の端部５３ａは、素体４の側面４ｅまで引き出され、当該側面４ｅに露出しており、外部電極７と接続される。導体５４の端部５４ａは、素体４の側面４ｆまで引き出され、当該側面４ｆに露出しており、外部電極８と接続される。よって、コイルＬ２は、外部電極７及び外部電極８と電気的に接続される。
【００４１】
コイルＬ１とコイルＬ２とは、スパイラル形状を呈する導体５２及び導体５４が磁気的に結合することで、いわゆるコモンモードフィルタを構成している。
【００４２】
次に、各構成要素の材料について詳細に説明する。
【００４３】
外部電極５〜１０と、対向電極１２，１４，１６，１８と、グラウンド電極２０とは、それぞれＡｇ、Ｐｄ、Ａｕ、Ｐｔ、Ｃｕ、Ｎｉ、Ａｌ、Ｍｏ、又はＷを含有する導体材料によって構成される。外部電極５〜１０は、合金として、Ａｇ／Ｐｄ合金、Ａｇ／Ｃｕ合金、Ａｇ／Ａｕ合金、又はＡｇ／Ｐｔ合金などを用いることができる。
【００４４】
絶縁体層１１は、Ｆｅ２Ｏ３、ＮｉＯ、ＣｕＯ、ＺｎＯ、ＭｇＯ、ＳｉＯ２、ＴｉＯ２、Ｍｎ２Ｏ３、ＳｒＯ、ＣａＯ、ＢａＯ、ＳｎＯ２、Ｋ２О、Ａｌ２Ｏ３、ＺｒＯ２、又はＢ２Ｏ３などの中の単独材料によって構成される。絶縁体層１１は、これらの二種類以上を混合させたセラミック材料によって構成されてもよい。絶縁体層１１には、ガラスが含有されていてもよい。絶縁体層１１には、低温焼結を可能とするために酸化銅（ＣｕＯ又はＣｕ２Ｏ）が含有されていることが好ましい。
【００４５】
各導体５１〜５４、各スルーホール導体１３，１５，１７，１９，２１，２２，５５，５６は、例えばＡｇ又はＰｄなどの導体材料を含んでいる。各導体５１〜５４、各スルーホール導体１３，１５，１７，１９，２１，２２，５５，５６は、上記導体材料を含む導電性ペーストの焼結体として構成される。
【００４６】
放電誘発部２４，２５は、Ｆｅ２Ｏ３、ＮｉＯ、ＣｕＯ、ＺｎＯ、ＭｇＯ、ＳｉＯ２、ＴｉＯ２、Ｍｎ２Ｏ３、ＳｒＯ、ＣａＯ、ＢａＯ、ＳｎＯ２、Ｋ２О、Ａｌ２Ｏ３、ＺｒＯ２、又はＢ２Ｏ３などの中の単独材料を含んで構成される。放電誘発部２４，２５は、これらの二種類以上を混合させた材料を含んで構成されてもよい。放電誘発部２４，２５には、Ａｇ、Ｐｄ、Ａｕ、Ｐｔ、Ａｇ／Ｐｄ合金、Ａｇ／Ｃｕ合金、Ａｇ／Ａｕ合金、又はＡｇ／Ｐｔ合金などの金属粒子が含有されている。放電誘発部２４，２５に金属粒子として含有されている金属材料の融点は、コイルＬ１を構成する各導体５１〜５４に含有されている導体材料の融点よりも高くてもよい。放電誘発部２４，２５には、ＲｕＯ２などの半導体粒子が含有されていることが好ましい。放電誘発部２４，２５には、ガラス又は酸化鉛（ＳｎＯ又はＳｎＯ２）が含有されていてもよい。
【００４７】
次に、図６を参照して、本実施形態における静電気保護部品の製造方法について説明する。図６は、本実施形態に係る静電気保護部品の製造方法を示すフロー図である。
【００４８】
まず、絶縁体層１１を構成する材料のスラリーを調合し（Ｓ１）、絶縁体層１１用のグリーンシートを形成する（Ｓ２）。具体的には、酸化銅（ＣｕＯ）を含む所定量の誘電体粉末と、有機溶剤及び有機バインダを含む有機ビヒクルと、を混合し、絶縁体層１１用のスラリーを調合する。誘電体粉末には、Ｍｇ、Ｃｕ、Ｚｎ、Ｓｉ、又はＳｒの酸化物（他の誘電体材料でもよい）を主成分として含む誘電体材料を用いることができる。その後、ドクターブレード法などによって、ＰＥＴフィルム上にスラリーを塗布し、厚さ２０μｍ程度のグリーンシートを形成する。なお、各絶縁体層１１における各スルーホール導体３１〜３７の形成予定位置には、レーザ加工によって貫通孔が形成されている。
【００４９】
絶縁体層１１用のグリーンシートを形成した後、当該グリーンシートの所定の位置に、放電誘発材料スラリー、導体ペースト、及び溶剤（空洞用ラッカー）をそれぞれ印刷する（Ｓ３）。放電誘発材料スラリーの印刷は、絶縁体層１１用のシートに、焼成後の放電誘発部２４，２５を形成するための放電誘発材料スラリーを調合して塗布することにより行う（Ｓ３Ａ）。具体的には、所定量に秤量した酸化錫、絶縁体、及び導体の各粉末と、有機溶剤及び有機バインダを含む有機ビヒクルと、を混合し、放電誘発材料スラリーを調合する。例えば、酸化錫として工業用のＳｎＯ２を使用でき、絶縁体として誘電体粉末を使用できる。誘電体粉末には、Ｍｇ、Ｃｕ、Ｚｎ、Ｓｉ、又はＳｒの酸化物（他の誘電体材料でもよい）を主成分として含む誘電体材料を用いることができる。導体粉末として、Ａｇ／Ｐｄ粉を用いることができる（Ａｇ、Ｐｄ、Ａｕ、Ｐｔ、又はその混合物若しくは化合物などでもよい）。酸化錫の粒子とＡｇ／Ｐｄ合金の金属粒子が混在する状態となるように、各粉末を十分に混合する。放電誘発材料スラリーは、後述する焼成工程により、放電誘発部２４，２５となる。
【００５０】
導体ペーストの印刷は、絶縁体層１１用のグリーンシートに、導体パターンを形成するための導体ペーストをスクリーン印刷などによって塗布することにより行う（Ｓ３Ｂ）。導体パターンは、後述する焼成工程により、各導体５１〜５４、対向電極１２，１４，１６，１８、及び、グラウンド電極２０となる。各導体パターンは、スクリーン印刷した後、乾燥することによって形成される。貫通孔には、各導体パターンの形成の際に導体ペーストが充填される。貫通孔に充填された導体ペーストは、後述する焼成工程により、各スルーホール導体１３，１５，１７，１９，２１，２２，５５，５６となる。
【００５１】
空洞用ラッカーの印刷は、絶縁体層１１用のグリーンシートに、既に印刷された対向電極１２の第１対向部１２ｂ及びグラウンド電極２０の第２対向部２０ｃを形成するための導体ペーストと、既に印刷された対向電極１４の第１対向部１４ｂ及びグラウンド電極２０の第２対向部２０ｃを形成するための導体ペーストと、既に印刷された対向電極１６の第１対向部１６ｂ及びグラウンド電極２０の第２対向部２０ｄを形成するための導体ペーストと、既に印刷された対向電極１８の第１対向部１８ｂ及びグラウンド電極２０の第２対向部１２ｄを形成するための導体ペーストと、をそれぞれ覆うように、空洞用ラッカーを塗布することにより行う（Ｓ３Ｃ）。空洞用ラッカーは、空洞部２６，２７，２８，２９を形成するための塗料である。
【００５２】
放電誘発材料スラリー、導体ペースト、及び空洞用ラッカーが印刷された絶縁体層１１用のグリーンシートを、順次積層させ（Ｓ４）、プレスし（Ｓ５）、個々の静電気保護部品１の大きさになるように積層体を切断する（Ｓ６）。絶縁体層１１用のグリーンシートの積層順序は、焼成後に形成される各構成の積層方向における順序が、回路基板に対する実装面である素体４の側面４ｃに近い方から順に、各導体５１〜５４、放電誘発部２４，２５、第１引出部１２ａ，１４ａ，１６ａ，１８ａ及び第２引出部２０ａ，２０ｂ、第１対向部１２ｂ，１４ｂ，１６ｂ，１８ｂ及び第２対向部２０ｃ，２０ｄ、空洞部２６〜２９となるように編集する。
【００５３】
続いて、絶縁体層１１用のグリーンシートの積層体が切断されて得られた各グリーンチップのバレル研磨を行う（Ｓ７）。これにより、角部や稜線が丸められたグリーンチップが得られる。
【００５４】
次に、バレル研磨工程の後、グリーンチップを所定の条件（例えば、大気中で８５０〜９５０℃で２時間）焼成する（Ｓ８）。これにより、グリーンチップは、焼成により、素体４となる。これにより、第１対向部１２ｂ及び第２対向部２０ｃの間に第１放電部ＧＰ１、第１対向部１４ｂ及び第２対向部２０ｃの間に第２放電部ＧＰ２、第１対向部１６ｂ及び第２対向部２０ｄの間に第３放電部ＧＰ３、並びに、第１対向部１８ｂ及び第２対向部２０ｄの間に第４放電部ＧＰ４が形成される。また、焼成工程では、空洞用ラッカーが消失し、第１放電部ＧＰ１を覆う空洞部２６、第２放電部ＧＰ２を覆う空洞部２７、第３放電部ＧＰ３を覆う空洞部２８、及び、第４放電部ＧＰ４を覆う空洞部２９が形成される。即ち、焼成工程を経ることにより、第１放電部ＧＰ１、第２放電部ＧＰ２、第３放電部ＧＰ３、及び、第４放電部ＧＰ４が備えられた中間体が得られる。
【００５５】
続いて、素体４に外部電極５〜１０用の導体ペーストを塗布し（Ｓ９）、所定条件（例えば、大気中で６００〜８００℃で２時間）にて熱処理を行い、外部電極５〜１０を焼き付けて形成する（Ｓ１０）。その後、外部電極５〜１０の表面にめっきを施す（Ｓ１２）。めっきは、電解めっきが好ましく、例えば、Ｎｉ／Ｓｎ、Ｃｕ／Ｎｉ／Ｓｎ、Ｎｉ／Ｐｄ／Ａｕ、Ｎｉ／Ｐｄ／Ａｇ、Ｎｉ／Ａｇなどを用いることができる。
【００５６】
以上の過程を経て、静電気保護部品１Ａが得られる。
【００５７】
以上、本実施形態に係る静電気保護部品１Ａによれば、対向電極１２，１４，１６，１８において、第１引出部１２ａ，１４ａ，１６ａ，１８ａと第１対向部１２ｂ，１４ｂ，１６ｂ，１８ｂとが、異なる層に配置されていると共にスルーホール導体１３，１５，１７，１９を介して電気的に接続されている。グラウンド電極２０において、第２引出部２０ａ，２０ｂと第２対向部２０ｃ，２０ｄとが、異なる層に配置されていると共にスルーホール導体２１，２２を介して電気的に接続されている。よって、同一の層内における電極の総面積を少なくすることができる。これにより、絶縁体層１１同士の密着性が向上するので、構造上の欠陥が生じる可能性を減らすことができ、当該欠陥によるめっき液の侵入を抑制することができる。したがって、対向電極１２の第１対向部１２ｂとグラウンド電極２０の第２対向部２０ｃとの間に形成される第１放電部ＧＰ１、対向電極１４の第１対向部１４ｂとグラウンド電極２０の第２対向部２０ｄとの間に形成される第２放電部ＧＰ２、対向電極１６の第１対向部１６ｂとグラウンド電極２０の第２対向部２０ｄとの間に形成される第３放電部ＧＰ３、及び、対向電極１８の第１対向部１８ｂとグラウンド電極２０の第２対向部２０ｄとの間に形成される第４放電部ＧＰ４に、めっき液が侵入することを抑制することができる。特に、本実施形態によれば、対向電極１２，１４，１６，１８及びグラウンド電極２０のいずれにおいても、第１引出部１２ａ，１４ａ，１６ａ，１８ａ及び第２引出部２０ａ，２０ｂが、第１対向部１２ｂ，１４ｂ，１６ｂ，１８ｂ及び第２対向部２０ｃ，２０ｄが配置された層とは別の層に配置されるので、同一の層内における電極の総面積を極力少なくすることができ、放電を生じる放電部にめっき液が侵入することをより確実に抑制することができる。
【００５８】
（第２実施形態）
次に、図１，図２及び図７〜図９を参照して、第２実施形態に係る静電気保護部品の構成を説明する。図７は、第２実施形態に係る素体の、第１〜第４放電部を含む部分の構成を示す分解斜視図である。図８は、第２実施形態に係る静電気保護部品の、第１放電部及び第３放電部を含む断面構成を示す図である。図９は、第２実施形態に係る静電気保護部品の、第２放電部及び第４放電部を含む断面構成を示す図である。
【００５９】
第２実施形態に係る静電気保護部品１Ｂは、第１実施形態に係る静電気保護部品１Ａ同様、略直方体形状を呈する素体４と、素体４の外表面に配置された外部電極５〜１０と、素体４の内部に配置されたコイルＬ１，Ｌ２と、を備えている。素体４と、外部電極５〜１０とコイルＬ１，Ｌ２の構成は、第１実施形態と同様である（図１及び図２参照）。図７〜図９に示されるように、第２実施形態に係る静電気保護部品１Ｂにおいては、第１〜第４放電部を含む部分の構成が、第１実施形態に係る静電気保護部品１Ａとは異なっている。具体的には、対向電極１２，１４，１６，１８、グラウンド電極２０、第１放電部ＧＰ１、第２放電部ＧＰ２、第３放電部ＧＰ３、第４放電部ＧＰ４、放電誘発部２４，２５、及び、空洞部２６〜２９の代わりに、静電気保護部品１Ｂは、対向電極３０，３１，３２，３３、グラウンド電極３４、第１放電部ＧＰ５、第２放電部ＧＰ６、第３放電部ＧＰ７、第４放電部ＧＰ８、放電誘発部３６〜３９、及び、空洞部４０〜４３、を備えている。
【００６０】
対向電極３０は、素体４の長手方向における、端面４ｂよりも端面４ａに近い位置で、且つ、素体４の短手方向における、側面４ｆよりも側面４ｅに近い位置で配置されている。対向電極３０は、Ｌ字形状を有している。対向電極３０は、第１引出部３０ａ及び第１対向部３０ｂを有している。第１引出部３０ａと第１対向部３０ｂとは、同一の絶縁体層１１に配置されている。第１引出部３０ａは、素体４の短手方向に沿って延在している。第１引出部３０ａの端部３０ｃは、素体４の側面４ｅ側に引き出され、当該側面４ｅに露出しており、外部電極５に接続される。第１対向部３０ｂは、素体４の長手方向に沿って延在している。
【００６１】
対向電極３１は、素体４の長手方向における、端面４ａよりも端面４ｂに近い位置で、且つ、素体４の短手方向における、側面４ｆよりも側面４ｅに近い位置で配置されている。対向電極３１は、Ｌ字形状を有している。対向電極３１は、第１引出部３１ａ及び第１対向部３１ｂを有している。第１引出部３１ａ及び第１対向部３１ｂは、いずれも対向電極３０の第１対向部３０ｂが配置された層と同一の絶縁体層１１に配置されている。即ち、第１引出部３１ａと第１対向部３１ｂとは、同一の絶縁体層１１に配置されている。第１引出部３１ａは、素体４の短手方向に沿って延在している。第１引出部３１ａの端部３１ｃは、素体４の側面４ｅ側に引き出され、当該側面４ｅに露出しており、外部電極７に接続される。第１対向部３１ｂは、素体４の長手方向に沿って延在している。
【００６２】
対向電極３２は、素体４の長手方向における、端面４ｂよりも端面４ａに近い位置で、且つ、素体４の短手方向における、側面４ｅよりも側面４ｆに近い位置で配置されている。対向電極３２は、Ｌ字形状を有している。対向電極３２は、第１引出部３２ａ及び第１対向部３２ｂを有している。第１引出部３２ａ及び第１対向部３２ｂは、いずれも対向電極３０の第１対向部３０ｂが配置された層と同一の絶縁体層１１に配置されている。即ち、第１引出部３２ａと第１対向部３２ｂとは、同一の絶縁体層１１に配置されている。第１引出部３２ａは、素体４の短手方向に沿って延在している。第１引出部３２ａの端部３２ｃは、素体４の側面４ｆ側に引き出され、当該側面４ｆに露出しており、外部電極６に接続される。第１対向部３２ｂは、素体４の長手方向に沿って延在している。
【００６３】
対向電極３３は、素体４の長手方向における、端面４ａよりも端面４ｂに近い位置で、且つ、素体４の短手方向における、側面４ｅよりも側面４ｆに近い位置で配置されている。対向電極３３は、Ｌ字形状を有している。対向電極３３は、第１引出部３３ａ及び第１対向部３３ｂを有している。第１引出部３３ａ及び第１対向部３３ｂは、いずれも対向電極３０の第１対向部３０ｂが配置された層と同一の絶縁体層１１に配置されている。即ち、第１引出部３３ａと第１対向部３３ｂとは、同一の絶縁体層１１に配置されている。第１引出部３３ａは、素体４の短手方向に沿って延在している。第１引出部３３ａの端部３３ｃは、素体４の側面４ｆ側に引き出され、当該側面４ｆに露出しており、外部電極８に接続される。第１対向部３３ｂは、素体４の長手方向に沿って延在している。
【００６４】
グラウンド電極３４は、第２引出部３４ａ、第２対向部３４ｂ、及び、第２対向部３４ｃを有している。第２引出部３４ａは、対向電極３０の第１対向部３０ｂが配置された層とは別の絶縁体層１１に配置され、第２対向部３４ｂ及び第２対向部３４ｃは、対向電極３０の第１対向部３０ｂが配置された層と同一の絶縁体層１１に配置されている。即ち、第２引出部３４ａと、第２対向部３４ｂ及び第２対向部３４ｃとは、互いに異なる絶縁体層１１に配置されている。
【００６５】
第２引出部３４ａは、素体４の短手方向における、略中央の位置に配置され、素体４の長手方向に延在している。第２引出部３４ａの端部３４ｅは、素体４の端面４ａ側に引き出され、当該端面４ａに露出しており、外部電極９に接続される。第２引出部３４ａの端部３４ｆは、素体４の端面４ｂ側に引き出され、当該端面４ｂに露出しており、外部電極１０に接続される。
【００６６】
第２対向部３４ｂ及び第２対向部３４ｃは、それぞれ離間して素体４の長手方向に延在している。第２対向部３４ｂの延在方向における略中央部と第２対向部３４ｃの延在方向における略中央部とは、互いに接続されることにより、接続部３４ｄを構成している。接続部３４ｄは、素体４の短手方向に延在している。接続部３４ｄは、スルーホール導体３５を介して第２引出部３４ａに電気的に接続される。これにより、第２対向部３４ｂ及び第２対向部３４ｃは、スルーホール導体３５を介して第２引出部３４ａに電気的に接続される。第２対向部３４ｂ、第２対向部３４ｃ、接続部３４ｄにより、同一の絶縁体層１１上にＨ形状の導体パターンが形成されている。
【００６７】
第２対向部３４ｂは、対向電極３０の第１対向部３０ｂ及び対向電極３１の第１対向部３１ｂよりも、第１引出部３０ａ及び第１引出部３１ａが露出する側の素体４の外表面である側面４ｅに近い位置に配置されている。つまり、第１対向部３０ｂ，３１ｂは、第２対向部３４ｂに比して、素体４の側面４ｅから離れて配置されている。第１引出部３０ａにおける、素体４の側面４ｅ側から第１対向部３０ｂ側までの長さは、即ち、対向電極３０における、素体４の側面４ｅへ露出する部分から第１対向部３０ｂ側までの距離である。第１引出部３１ａにおける、素体４の側面４ｅ側から第１対向部３１ｂ側までの長さは、即ち、対向電極３１における、素体４の側面４ｅへ露出する部分から第１対向部３１ｂ側までの距離である。
【００６８】
第２対向部３４ｂは、対向電極３０の第１対向部３０ｂ及び対向電極３１の第１対向部３１ｂと離間して対向配置されている。これにより、対向電極３０の第１対向部３０ｂとグラウンド電極３４の第２対向部３４ｂとの間に第１放電部ＧＰ５が形成され（図８参照）、対向電極３１の第１対向部３１ｂとグラウンド電極３４の第２対向部３４ｂとの間に第２放電部ＧＰ６が形成される（図９参照）。このような構成により、外部電極５及び外部電極９の間に所定以上の電圧が印加されると、第１放電部ＧＰ５において放電が生じる。同様にして、外部電極７及び外部電極１０の間に所定以上の電圧が印加されると、第２放電部ＧＰ６において放電が生じる。
【００６９】
第２対向部３４ｃは、対向電極３２の第１対向部３２ｂ及び対向電極３３の第１対向部３３ｂよりも、第１引出部３２ａ及び第１引出部３３ａが露出する側の素体４の外表面である側面４ｆに近い位置に配置されている。つまり、第１対向部３２ｂ，３３ｂは、第２対向部３４ｃに比して、素体４の側面４ｆから離れて配置されている。第１引出部３２ａにおける、素体４の側面４ｆ側から第１対向部３２ｂ側までの長さは、即ち、対向電極３２における、素体４の側面４ｆへ露出する部分から第１対向部３２ｂ側までの距離である。第１引出部３３ａにおける、素体４の側面４ｆ側から第１対向部３３ｂまでの長さは、即ち、対向電極３３における、素体４の側面４ｆへ露出する部分から第１対向部３３ｂ側までの距離である。
【００７０】
第２対向部３４ｃは、対向電極３２の第１対向部３２ｂ及び対向電極３３の第１対向部３３ｂと離間して対向配置されている。これにより、対向電極３２の第１対向部３２ｂとグラウンド電極３４の第２対向部３４ｃとの間に第３放電部ＧＰ７が形成され（図８参照）、対向電極３３の第１対向部３３ｂとグラウンド電極３４の第２対向部３４ｃとの間に第４放電部ＧＰ８が形成される（図９参照）。このような構成により、外部電極６及び外部電極９の間に所定以上の電圧が印加されると、第３放電部ＧＰ７において放電が生じる。同様にして、外部電極８及び外部電極１０の間に所定以上の電圧が印加されると、第４放電部ＧＰ８において放電が生じる。
【００７１】
放電誘発部３６は、第１放電部ＧＰ５に位置し、第１放電部ＧＰ５における放電を発生し易くする機能を有している。放電誘発部３６は、対向電極３０の第１対向部３０ｂとグラウンド電極３４の第２対向部３４ｂとを接続している。放電誘発部３７は、第２放電部ＧＰ６に位置し、第２放電部ＧＰ６における放電を発生し易くする機能を有している放電誘発部３７は、対向電極３１の第１対向部３１ｂとグラウンド電極３４の第２対向部３４ｂとを接続している。
【００７２】
放電誘発部３８は、第３放電部ＧＰ７に位置し、第３放電部ＧＰ７における放電を発生し易くする機能を有している。放電誘発部３８は、対向電極３２の第１対向部３２ｂとグラウンド電極３４の第２対向部３４ｃとを接続している。放電誘発部３９は、第４放電部ＧＰ８に位置し、第４放電部ＧＰ８における放電を発生し易くする機能を有している。放電誘発部３７は、対向電極３１の第１対向部３１ｂとグラウンド電極３４の第２対向部３４ｃとを接続している。
【００７３】
空洞部４０は、第１放電部ＧＰ５に形成されている。空洞部４０は、第１対向部３０ｂ、第２対向部３４ｂ、絶縁体層１１、及び放電誘発部３６の、放電時における熱膨張を吸収する機能を有する。空洞部４１は、第２放電部ＧＰ６に形成されている。空洞部４１は、第１対向部３１ｂ、第２対向部３４ｂ、絶縁体層１１、及び放電誘発部３７の、放電時における熱膨張を吸収する機能を有する。空洞部４２は、第３放電部ＧＰ７に形成されている。空洞部４２は、第１対向部３２ｂ、第２対向部３４ｃ、絶縁体層１１、及び放電誘発部３８の、放電時における熱膨張を吸収する機能を有する。空洞部４３は、第４放電部ＧＰ８に形成されている。空洞部４３は、第１対向部３３ｂ、第２対向部３４ｃ、絶縁体層１１、及び放電誘発部３９の、放電時における熱膨張を吸収する機能を有する。
【００７４】
以上、本実施形態に係る静電気保護部品１Ｂにおいても、上記実施形態と同様の効果を奏する。即ち、対向電極３０，３１，３２，３３及びグラウンド電極３４のうち、グラウンド電極３４において、第２引出部３４ａと第２対向部３４ｂ，３４ｃとが、異なる層に配置されていると共にスルーホール導体３５を介して電気的に接続されている。よって、同一の層内における電極の総面積を少なくすることができる。これにより、絶縁体層１１同士の密着性が向上するので、構造上の欠陥が生じる可能性を減らすことができ、当該欠陥によるめっき液の侵入を抑制することができる。したがって、対向電極３０の第１対向部３０ｂとグラウンド電極３４の第２対向部３４ｂとの間に形成される第１放電部ＧＰ５、対向電極３１の第１対向部３１ｂとグラウンド電極３４の第２対向部３４ｃとの間に形成される第２放電部ＧＰ６、対向電極３２の第１対向部３２ｂとグラウンド電極３４の第２対向部３４ｃとの間に形成される第３放電部ＧＰ７、及び、対向電極３３の第１対向部３３ｂとグラウンド電極３４の第２対向部３４ｃとの間に形成される第４放電部ＧＰ８に、めっき液が侵入することを抑制することができる。
【００７５】
特に、本実施形態によれば、対向電極３０，３１，３２，３３の第１対向部３０ｂ，３１ｂ，３２ｂ，３３ｂ及びグラウンド電極３４の第２対向部が配置された層とは別の層に、グラウンド電極３４の第２引出部３４ａが配置されるので、第１対向部３０ｂ，３１ｂ，３２ｂ，３３ｂ及び第２対向部３４ｂが配置された層においては、第２引出部３４ａの導体パターンによらず、第１対向部３０ｂ，３１ｂ，３２ｂ，３３ｂ及び第２対向部３４ｂの導体パターンを自由に決定することができる。
【００７６】
更に、第２対向部３４ｂは、対向電極３０の第１対向部３０ｂ及び対向電極３１の第１対向部３１ｂよりも、第１対向部３０ｂに接続された第１引出部３０ａ及び第１対向部３１ｂに接続された第１引出部３１ａが露出する側の素体４の外表面である側面４ｅに近い位置に配置されている。第２対向部３４ｃは、対向電極３２の第１対向部３２ｂ及び対向電極３３の第１対向部３３ｂよりも、第１対向部３２ｂに接続された第１引出部３２ａ及び第１対向部３３ｂに接続された第１引出部３３ａが露出する側の素体４の外表面である側面４ｆに近い位置に配置されている。つまり、第１対向部３０ｂ，３１ｂは、第２対向部３４ｂに比して、素体４の側面４ｅから離れて配置されており、第１対向部３２ｂ，３３ｂは、第２対向部３４ｃに比して、素体４の側面４ｆから離れて配置されている。このため、対向電極３０〜３３における、素体４の側面４ｅ，４ｆへ露出する部分から第１対向部３０ｂ，３１ｂ，３２ｂ，３３ｂ側までの距離を長くすることができ、当該露出する部分から入り込んだめっき液が第１対向部３０ｂ，３１ｂ，３２ｂ，３３ｂまで侵入するのを抑制することができる。したがって、第１放電部ＧＰ５、第２放電部ＧＰ６、第３放電部ＧＰ７、及び第４放電部ＧＰ８にめっき液が侵入することを抑制することができる。
【００７７】
（第３実施形態）
次に、図１，図２及び図１０〜図１２を参照して、第３実施形態に係る静電気保護部品の構成を説明する。図１０は、第３実施形態に係る素体の、第１〜第４放電部を含む部分の構成を示す分解斜視図である。図１１は、第３実施形態に係る静電気保護部品の、第１放電部及び第３放電部を含む断面構成を示す図である。図１２は、第３実施形態に係る静電気保護部品の、第２放電部及び第４放電部を含む断面構成を示す図である。
【００７８】
第３実施形態に係る静電気保護部品１Ｃは、第１実施形態に係る静電気保護部品１Ａ同様、略直方体形状を呈する素体４と、素体４の外表面に配置された外部電極５〜１０と、素体４の内部に配置されたコイルＬ１，Ｌ２と、を備えている。素体４と、外部電極５〜１０とコイルＬ１，Ｌ２の構成は、第１実施形態と同様である（図１及び図２参照）。図１０〜図１２に示されるように、第３実施形態に係る静電気保護部品１Ｃにおいても、第２実施形態に係る静電気保護部品１Ｂと同様、第１〜第４放電部を含む部分の構成が、第１実施形態に係る静電気保護部品１Ａとは異なっている。具体的には、対向電極１２，１４，１６，１８、グラウンド電極２０、第１放電部ＧＰ１、第２放電部ＧＰ２、第３放電部ＧＰ３、第４放電部ＧＰ４、放電誘発部２４，２５、及び、空洞部２６〜２９の代わりに、静電気保護部品１Ｃは、対向電極６０，６２，６４，６６、グラウンド電極６８、第１放電部ＧＰ９、第２放電部ＧＰ１０、第３放電部ＧＰ１１、第４放電部ＧＰ１２、放電誘発部７０〜７３、及び、空洞部７４〜７７を備えている。
【００７９】
対向電極６０は、素体４の長手方向における、端面４ｂよりも端面４ａに近い位置で、且つ、素体４の短手方向における、側面４ｆよりも側面４ｅに近い位置で配置されている。対向電極６０は、第１引出部６０ａ及び第１対向部６０ｂを有している。第１引出部６０ａと第１対向部６０ｂとは、互いに異なる絶縁体層１１に配置されている。第１引出部６０ａは、素体４の短手方向に沿って延在している。第１引出部６０ａの端部６０ｃは、素体４の側面４ｅ側に引き出され、当該側面４ｅに露出しており、外部電極５に接続される。第１対向部６０ｂは、素体４の長手方向に沿って延在すると共に、その一端が素体４の短手方向に沿って延在するように曲げられることにより、接続部６０ｄを構成している。接続部６０ｄは、スルーホール導体６１を介して第１引出部６０ａに電気的に接続される。これにより、第１対向部６０ｂは、スルーホール導体６１を介して第１引出部６０ａに電気的に接続される。
【００８０】
対向電極６２は、素体４の長手方向における、端面４ａよりも端面４ｂに近い位置で、且つ、素体４の短手方向における、側面４ｆよりも側面４ｅに近い位置で配置されている。対向電極６２は、第１引出部６２ａ及び第１対向部６２ｂを有している。第１引出部６２ａは、対向電極６０の第１対向部６０ｂが配置された層とは別の絶縁体層１１に配置され、第１対向部６２ｂは、対向電極６０の第１対向部６０ｂが配置された層と同一の絶縁体層１１に配置されている。即ち、第１引出部６２ａと第１対向部６２ｂとは、互いに異なる絶縁体層１１に配置されている。第１引出部６２ａは、素体４の短手方向に沿って延在している。第１引出部６２ａの端部６２ｃは、素体４の側面４ｅ側に引き出され、当該側面４ｅに露出しており、外部電極７に接続される。第１対向部６２ｂは、素体４の長手方向に沿って延在すると共に、その一端が素体４の短手方向に沿って延在するように曲げられることにより、接続部６２ｄを構成している。接続部６２ｄは、スルーホール導体６３を介して第１引出部６２ａに接続される。これにより、第１対向部６２ｂは、スルーホール導体６３を介して第１引出部６２ａに電気的に接続される。
【００８１】
対向電極６４は、素体４の長手方向における、端面４ｂよりも端面４ａに近い位置で、且つ、素体４の短手方向における、側面４ｅよりも側面４ｆに近い位置で配置されている。対向電極６４は、第１引出部６４ａ及び第１対向部６４ｂを有している。第１引出部６４ａは、対向電極６０の第１対向部６０ｂが配置された層とは別の絶縁体層１１に配置され、第１対向部６４ｂは、対向電極６０の第１対向部６０ｂが配置された層と同一の絶縁体層１１に配置されている。即ち、第１引出部６４ａと第１対向部６４ｂとは、互いに異なる絶縁体層１１に配置されている。第１引出部６４ａは、素体４の短手方向に沿って延在している。第１引出部６４ａの端部６４ｃは、素体４の側面４ｆ側に引き出され、当該側面４ｆに露出しており、外部電極６に接続される。第１対向部６４ｂは、素体４の長手方向に沿って延在すると共に、その一端が素体４の短手方向に沿って延在するように曲げられることにより、接続部６４ｄを構成している。接続部６４ｄは、スルーホール導体６５を介して第１引出部６４ａに電気的に接続される。これにより、第１対向部６４ｂは、スルーホール導体６５を介して第１引出部６４ａに電気的に接続される。
【００８２】
対向電極６６は、素体４の長手方向における、端面４ａよりも端面４ｂに近い位置で、且つ、素体４の短手方向における、側面４ｅよりも側面４ｆに近い位置で配置されている。対向電極６６は、第１引出部６６ａ及び第１対向部６６ｂを有している。第１引出部６６ａは、対向電極６０の第１対向部６０ｂが配置された層とは別の絶縁体層１１に配置され、第１対向部６６ｂは、対向電極６０の第１対向部６０ｂが配置された層と同一の絶縁体層１１に配置されている。即ち、第１引出部６６ａと第１対向部６６ｂとは、互いに異なる絶縁体層１１に配置されている。第１引出部６６ａは、素体４の短手方向に沿って延在している。第１引出部６６ａの端部６６ｃは、素体４の側面４ｆ側に引き出され、当該側面４ｆに露出しており、外部電極８に接続される。第１対向部６６ｂは、素体４の長手方向に沿って延在すると共に、その一端が素体４の短手方向に沿って延在するように曲げられることにより、接続部６６ｄを構成している。接続部６６ｄは、スルーホール導体６７を介して第１引出部６６ａに電気的に接続される。これにより、第１対向部６６ｂは、スルーホール導体６７を介して第１引出部６６ａに電気的に接続される。
【００８３】
グラウンド電極６８は、第２引出部６８ａ、第２対向部６８ｂ、及び、第２対向部６８ｃを有している。第２引出部６８ａは、対向電極６０の第１対向部６０ｂが配置された層とは別の絶縁体層１１に配置され、第２対向部６８ｂ及び第２対向部６８ｃは、対向電極６０の第１対向部６０ｂが配置された層と同一の絶縁体層１１に配置されている。即ち、第２引出部６８ａと、第２対向部６８ｂ及び第２対向部６８ｃとは、互いに異なる絶縁体層１１に配置されている。
【００８４】
第２引出部６８ａは、素体４の短手方向における、略中央の位置に配置され、素体４の長手方向に延在している。第２引出部６８ａの端部６８ｅは、素体４の端面４ａ側に引き出され、当該端面４ａに露出しており、外部電極９に接続される。第２引出部６８ａの端部６８ｆは、素体４の端面４ｂ側に引き出され、当該端面４ｂに露出しており、外部電極１０に接続される。
【００８５】
第２対向部６８ｂ及び第２対向部６８ｃは、それぞれ離間して素体４の長手方向に延在している。第２対向部６８ｂの延在方向における略中央部と第２対向部６８ｃの延在方向における略中央部とは、互いに接続されることにより、接続部６８ｄを構成している。接続部６８ｄは、素体４の短手方向に延在している。接続部６８ｄは、スルーホール導体６９を介して第２引出部６８ａに電気的に接続される。これにより、第２対向部６８ｂ及び第２対向部６８ｃは、スルーホール導体６９を介して第２引出部６８ａに電気的に接続される。第２対向部６８ｂ、第２対向部６８ｃ、接続部６８ｄにより、同一の絶縁体層１１上にＨ形状の導体パターンが形成されている。
【００８６】
第２対向部６８ｂは、対向電極６０の第１対向部６０ｂ及び対向電極６２の第１対向部６２ｂよりも、素体４の外表面側である側面４ｅに近い位置に配置されている。つまり、第１対向部６０ｂ，６２ｂは、第２対向部６８ｂに比して、素体４の側面４ｅから離れて配置されている。第１引出部６０ａにおける、素体４の側面４ｅ側から第１対向部６０ｂ側までの長さは、即ち、対向電極６０における、素体４の側面４ｅへ露出する部分から第１対向部６０ｂ側までの距離である。第１引出部６２ａにおける、素体４の側面４ｅ側から第１対向部６２ｂ側までの長さは、即ち、対向電極６２における、素体４の側面４ｅへ露出する部分から第１対向部６２ｂ側までの距離である。
【００８７】
第２対向部６８ｂは、対向電極６０の第１対向部６０ｂ及び対向電極６２の第１対向部６２ｂと離間して対向配置されている。これにより、対向電極６０の第１対向部６０ｂとグラウンド電極６８の第２対向部６８ｂとの間に第１放電部ＧＰ９が形成され（図１１参照）、対向電極６２の第１対向部６２ｂとグラウンド電極６８の第２対向部６８ｂとの間に第２放電部ＧＰ１０が形成される（図１２参照）。このような構成により、外部電極５及び外部電極９の間に所定以上の電圧が印加されると、第１放電部ＧＰ９において放電が生じる。同様にして、外部電極７及び外部電極１０の間に所定以上の電圧が印加されると、第２放電部ＧＰ１０において放電が生じる。
【００８８】
第２対向部６８ｃは、対向電極６４の第１対向部６４ｂ及び対向電極６６の第１対向部６６ｂよりも、素体４の外表面側である側面４ｆに近い位置に配置されている。つまり、第１対向部６４ｂ，６６ｂは、第２対向部６８ｃに比して、素体４の側面４ｆから離れて配置されている。第１引出部６４ａにおける、素体４の側面４ｆ側から第１対向部６４ｂ側までの長さは、即ち、対向電極６４における、素体４の側面４ｆへ露出する部分から第１対向部６４ｂ側までの距離である。第１引出部６６ａにおける、素体４の側面４ｆ側から第１対向部６６ｂまでの長さは、即ち、対向電極６６における、素体４の側面４ｆへ露出する部分から第１対向部６６ｂ側までの距離である。
【００８９】
第２対向部６８ｃは、対向電極６４の第１対向部６４ｂ及び対向電極６６の第１対向部６６ｂと離間して対向配置されている。これにより、対向電極６４の第１対向部６４ｂとグラウンド電極６８の第２対向部６８ｃとの間に第３放電部ＧＰ１１が形成され（図１１参照）、対向電極６４の第１対向部６４ｂとグラウンド電極６８の第２対向部６８ｃとの間に第４放電部ＧＰ１２が形成される（図１２参照）。このような構成により、外部電極６及び外部電極９の間に所定以上の電圧が印加されると、第３放電部ＧＰ１１において放電が生じる。同様にして、外部電極８及び外部電極１０の間に所定以上の電圧が印加されると、第４放電部ＧＰ１２において放電が生じる。
【００９０】
放電誘発部７０は、第１放電部ＧＰ９に位置し、第１放電部ＧＰ９における放電を発生し易くする機能を有している。放電誘発部７０は、対向電極６０の第１対向部６０ｂとグラウンド電極６８の第２対向部６８ｂとを接続している。放電誘発部７１は、第２放電部ＧＰ１０に位置し、第２放電部ＧＰ１０における放電を発生し易くする機能を有している。放電誘発部７１は、対向電極６２の第１対向部６２ｂとグラウンド電極６８の第２対向部６８ｂとを接続している。
【００９１】
放電誘発部７２は、第３放電部ＧＰ１１に位置し、第３放電部ＧＰ１１における放電を発生し易くする機能を有している。放電誘発部７２は、対向電極６４の第１対向部６４ｂとグラウンド電極６８の第２対向部６８ｃとを接続している。放電誘発部７３は、第４放電部ＧＰ１２に位置し、第４放電部ＧＰ１２における放電を発生し易くする機能を有している。放電誘発部７３は、対向電極６６の第１対向部６６ｂとグラウンド電極６８の第２対向部６９ｃとを接続している。
【００９２】
空洞部７４は、第１放電部ＧＰ９に形成されている。空洞部７４は、第１対向部６０ｂ、第２対向部６８ｂ、絶縁体層１１、及び放電誘発部７０の、放電時における熱膨張を吸収する機能を有する。空洞部７５は、第２放電部ＧＰ１０に形成されている。空洞部７５は、第１対向部６２ｂ、第２対向部６８ｂ、絶縁体層１１、及び放電誘発部７１の、放電時における熱膨張を吸収する機能を有する。空洞部７６は、第３放電部ＧＰ１１に形成されている。空洞部７６は、第１対向部６４ｂ、第２対向部６８ｃ、絶縁体層１１、及び放電誘発部７２の、放電時における熱膨張を吸収する機能を有する。空洞部７７は、第４放電部ＧＰ１２に形成されている。空洞部７７は、第１対向部６６ｂ、第２対向部６８ｃ、絶縁体層１１、及び放電誘発部７３の、放電時における熱膨張を吸収する機能を有する。
【００９３】
以上、本実施形態に係る静電気保護部品１Ｃにおいても、上記実施形態と同様の効果を奏する。
【００９４】
（第４実施形態）
次に、図１，図２及び図１３〜図１５を参照して、第４実施形態に係る静電気保護部品の構成を説明する。図１３は、第４実施形態に係る素体の、第１〜第４放電部を含む部分の構成を示す分解斜視図である。図１４は、第４実施形態に係る静電気保護部品の、第１放電部及び第３放電部を含む断面構成を示す図である。図１５は、第４実施形態に係る静電気保護部品の、第２放電部及び第４放電部を含む断面構成を示す図である。
【００９５】
第４実施形態に係る静電気保護部品１Ｄは、第１実施形態に係る静電気保護部品１Ａ同様、略直方体形状を呈する素体４と、素体４の外表面に配置された外部電極５〜１０と、素体４の内部に配置されたコイルＬ１，Ｌ２と、を備えている。素体４と、外部電極５〜１０とコイルＬ１，Ｌ２の構成は、第１実施形態と同様である（図１及び図２参照）。図１３〜図１５に示されるように、第４実施形態に係る静電気保護部品１Ｄにおいても、第２及び第３実施形態に係る静電気保護部品１Ｂ，１Ｃと同様、第１〜第４放電部を含む部分の構成が、第１実施形態に係る静電気保護部品１Ａとは異なっている。具体的には、対向電極１２，１４，１６，１８、グラウンド電極２０、第１放電部ＧＰ１、第２放電部ＧＰ２、第３放電部ＧＰ３、第４放電部ＧＰ４、放電誘発部２４，２５、及び、空洞部２６〜２９の代わりに、静電気保護部品１Ｄは、対向電極７８，７９，８０，８１、グラウンド電極８２、第１放電部ＧＰ１３、第２放電部ＧＰ１４、第３放電部ＧＰ１５、第４放電部ＧＰ１６、放電誘発部８５〜８８、及び、空洞部８９〜９２を備えている。
【００９６】
対向電極７８は、素体４の長手方向における、端面４ｂよりも端面４ａに近い位置で、且つ、素体４の短手方向における、側面４ｅよりも側面４ｆに近い位置で配置されている。対向電極７８は、Ｌ字形状を有している。対向電極７８は、第１引出部７８ａ及び第１対向部７８ｂを有している。第１引出部７８ａと第１対向部７８ｂとは、同一の絶縁体層１１に配置されている。第１引出部７８ａは、素体４の短手方向に沿って延在している。第１引出部７８ａの端部７８ｃは、素体４の側面４ｆ側に引き出され、当該側面４ｆに露出しており、外部電極６に接続される。第１対向部７８ｂは、素体４の長手方向に沿って延在している。
【００９７】
対向電極７９は、素体４の長手方向における、端面４ａよりも端面４ｂに近い位置で、且つ、素体４の短手方向における、側面４ｆよりも側面４ｅに近い位置で配置されている。対向電極７８は、Ｌ字形状を有している。対向電極７９は、第１引出部７９ａ及び第１対向部７９ｂを有している。第１引出部７９ａ及び第１対向部７９ｂは、いずれも対向電極７８の第１対向部７８ｂが配置された層と同一の絶縁体層１１に配置されている。即ち、第１引出部７９ａと第１対向部７９ｂとは、同一の絶縁体層１１に配置されている。第１引出部７９ａは、素体４の短手方向に沿って延在している。第１引出部７９ａの端部７９ｃは、素体４の側面４ｅ側に引き出され、当該側面４ｅに露出しており、外部電極７に接続される。第１対向部７９ｂは、素体４の長手方向に沿って延在している。
【００９８】
対向電極８０は、素体４の長手方向における、端面４ｂよりも端面４ａに近い位置で、且つ、素体４の短手方向における、側面４ｆよりも側面４ｅに近い位置で配置されている。対向電極８０は、Ｌ字形状を有している。対向電極８０は、第１引出部８０ａ及び第１対向部８０ｂを有している。第１引出部８０ａ及び第１対向部８０ｂは、いずれも対向電極７８の第１引出部７８ａ及び第１対向部７８ｂが配置された層とは別の絶縁体層１１配置されている。第１引出部８０ａと第１対向部８０ｂとは、同一の絶縁体層１１に配置されている。第１引出部８０ａは、素体４の短手方向に沿って延在している。第１引出部８０ａの端部８０ｃは、素体４の側面４ｅ側に引き出され、当該側面４ｅに露出しており、外部電極５に接続される。第１対向部８０ｂは、素体４の長手方向に沿って延在している。
【００９９】
対向電極８１は、素体４の長手方向における、端面４ａよりも端面４ｂに近い位置で、且つ、素体４の短手方向における、側面４ｅよりも側面４ｆに近い位置で配置されている。対向電極８１は、Ｌ字形状を有している。対向電極８１は、第１引出部８１ａ及び第１対向部８１ｂを有している。第１引出部８１ａ及び第１対向部８１ｂは、いずれも対向電極８０の第１対向部８０ｂが配置された層と同一の絶縁体層１１に配置されている。即ち、第１引出部８１ａと第１対向部８１ｂとは、同一の絶縁体層１１に配置されている。第１引出部８１ａは、素体４の短手方向に沿って延在している。第１引出部８１ａの端部８１ｃは、素体４の側面４ｆ側に引き出され、当該側面４ｆに露出しており、外部電極８に接続される。第１対向部８１ｂは、素体４の長手方向に沿って延在している。
【０１００】
グラウンド電極８２は、第２引出部８２ａ、第２対向部８２ｂ、及び、第２対向部８２ｃを有している。第２引出部８２ａは、対向電極７８の第１対向部７８ｂが配置された層とは異なり、且つ、対向電極８０の第１対向部８０ｂが配置された層とは異なる絶縁体層１１に配置されている。第２対向部８２ｂは、対向電極７９の第１対向部７９ｂが配置された層と同一の絶縁体層１１に配置されている。第２対向部８２ｃは、対向電極８０の第１対向部８０ｂが配置された層と同一の絶縁体層１１に配置されている。即ち、第２引出部８２ａ、第２対向部８２ｂ、及び、第２対向部８２ｃは、それぞれ互いに異なる絶縁体層１１に配置されている。
【０１０１】
第２引出部８２ａは、素体４の短手方向における、略中央の位置に配置され、素体４の長手方向に延在している。第２引出部８２ａの端部８２ｅは、素体４の端面４ａ側に引き出され、当該端面４ａに露出しており、外部電極９に接続される。第２引出部８２ａの端部８２ｆは、素体４の端面４ｂ側に引き出され、当該端面４ｂに露出しており、外部電極１０に接続される。
【０１０２】
第２対向部８２ｂは、素体４の長手方向に延在している。第２対向部８２ｂは、スルーホール導体８３を介して第２引出部８２ａに電気的に接続される。第２対向部８２ｃは、素体４の長手方向に延在している。第２対向部８２ｃは、スルーホール導体８４を介して第２引出部８２ａに電気的に接続される。
【０１０３】
第２対向部８２ｂは、対向電極７８の第１対向部７８ｂよりも、第１引出部７８ａが露出する側の素体４の外表面である側面４ｆに近い位置に配置されている。つまり、第１対向部７８ｂは、第２対向部８２ｂに比して、素体４の外表面である側面４ｆから離れて配置されている。第１引出部７８ａにおける、素体４の側面４ｆ側から第１対向部７８ｂ側までの長さは、即ち、対向電極７８における、素体４の側面４ｆへ露出する部分から第１対向部７８ｂ側までの距離である。
【０１０４】
第２対向部８２ｂは、対向電極７９の第１対向部７９ｂよりも、第１引出部７９ａが露出する側の素体４の外表面である側面４ｅに近い位置に配置されている。つまり、第１対向部７９ｂは、第２対向部８２ｂに比して、素体４の外表面である側面４ｅから離れて配置されている。第１引出部７９ａにおける、素体４の側面４ｅ側から第１対向部７９ｂ側までの長さは、即ち、対向電極７９における、素体４の側面４ｅへ露出する部分から第１対向部７９ｂ側までの距離である。
【０１０５】
第２対向部８２ｂは、対向電極７８の第１対向部７８ｂ及び対向電極７９の第１対向部７９ｂと離間して対向配置されている。これにより、対向電極７８の第１対向部７８ｂとグラウンド電極８２の第２対向部８２ｂとの間に第１放電部ＧＰ１３が形成され（図１４参照）、対向電極７９の第１対向部７９ｂとグラウンド電極８２の第２対向部８２ｂとの間に第２放電部ＧＰ１４が形成される（図１５参照）。このような構成により、外部電極６及び外部電極９の間に所定以上の電圧が印加されると、第１放電部ＧＰ１３において放電が生じる。同様にして、外部電極７及び外部電極１０の間に所定以上の電圧が印加されると、第２放電部ＧＰ１４において放電が生じる。
【０１０６】
第２対向部８２ｃは、対向電極８０の第１対向部８０ｂよりも、第１引出部８０ａが露出する側の素体４の外表面である側面４ｅに近い位置に配置されている。つまり、第１対向部８０ｂは、第２対向部８２ｃに比して、素体４の外表面である側面４ｅから離れて配置されている。第１引出部８０ａにおける、素体４の側面４ｅ側から第１対向部８０ｂ側までの長さは、即ち、対向電極８０における、素体４の側面４ｅへ露出する部分から第１対向部８０ｂ側までの距離である。
【０１０７】
第２対向部８２ｃは、対向電極８１の第１対向部８１ｂよりも、第１引出部８１ａが露出する側の素体４の外表面である側面４ｆに近い位置に配置されている。つまり、第１対向部８１ｂは、第２対向部８２ｃに比して、素体４の外表面である側面４ｆから離れて配置されている。第１引出部８１ａにおける、素体４の側面４ｆ側から第１対向部８１ｂ側までの長さは、即ち、対向電極８１における、素体４の側面４ｆへ露出する部分から第１対向部８１ｂ側までの距離である。
【０１０８】
第２対向部８２ｃは、対向電極８０の第１対向部８０ｂ及び対向電極８１の第１対向部８１ｂと離間して対向配置されている。これにより、対向電極８０の第１対向部８０ｂとグラウンド電極８２の第２対向部８２ｃとの間に第３放電部ＧＰ１５が形成され（図１４参照）、対向電極８１の第１対向部８１ｂとグラウンド電極８２の第２対向部８２ｃとの間に第４放電部ＧＰ１６が形成される（図１５参照）。このような構成により、外部電極５及び外部電極９の間に所定以上の電圧が印加されると、第３放電部ＧＰ１５において放電が生じる。同様にして、外部電極８及び外部電極１０の間に所定以上の電圧が印加されると、第４放電部ＧＰ１６において放電が生じる。
【０１０９】
放電誘発部８５は、第１放電部ＧＰ１３に位置し、第１放電部ＧＰ１３における放電を発生し易くする機能を有している。放電誘発部８５は、対向電極７８の第１対向部７８ｂとグラウンド電極８２の第２対向部８２ｂとを接続している。放電誘発部８６は、第２放電部ＧＰ１４に位置し、第２放電部ＧＰ１４における放電を発生し易くする機能を有している。放電誘発部８６は、対向電極７９の第１対向部７９ｂとグラウンド電極８２の第２対向部８２ｂとを接続している。
【０１１０】
放電誘発部８７は、第３放電部ＧＰ１５に位置し、第３放電部ＧＰ１５における放電を発生し易くする機能を有している。放電誘発部８７は、対向電極８０の第１対向部８０ｂとグラウンド電極８２の第２対向部８２ｃとを接続している。放電誘発部８８は、第４放電部ＧＰ１６に位置し、第４放電部ＧＰ１６における放電を発生し易くする機能を有している。放電誘発部８８は、対向電極８１の第１対向部８１ｂとグラウンド電極８２の第２対向部８２ｃとを接続している。
【０１１１】
空洞部８９は、第１放電部ＧＰ１３に形成されている。空洞部８９は、第１対向部７８ｂ、第２対向部８２ｂ、絶縁体層１１、及び放電誘発部８５の、放電時における熱膨張を吸収する機能を有する。空洞部９０は、第２放電部ＧＰ１４に形成されている。空洞部９０は、第１対向部７９ｂ、第２対向部８２ｂ、絶縁体層１１、及び放電誘発部８６の、放電時における熱膨張を吸収する機能を有する。空洞部９１は、第３放電部ＧＰ１１に形成されている。空洞部９１は、第１対向部８０ｂ、第２対向部８２ｃ、絶縁体層１１、及び放電誘発部８７の、放電時における熱膨張を吸収する機能を有する。空洞部９２は、第４放電部ＧＰ１２に形成されている。空洞部９２は、第１対向部８１ｂ、第２対向部８２ｃ、絶縁体層１１、及び放電誘発部８８の、放電時における熱膨張を吸収する機能を有する。
【０１１２】
以上、本実施形態に係る静電気保護部品１Ｄにおいても、上記実施形態と同様の効果を奏する。
【０１１３】
（第５実施形態）
次に、図１及び図１６〜図１８を参照して、第５実施形態に係る静電気保護部品の構成を説明する。図１６は、第４実施形態に係る素体の構成を示す分解斜視図である。図１７は、第５実施形態に係る静電気保護部品の、第１放電部及び第３放電部を含む断面構成を示す図である。図１８は、第５実施形態に係る静電気保護部品の、第２放電部及び第４放電部を含む断面構成を示す図である。
【０１１４】
第５実施形態に係る静電気保護部品１Ｅは、第１実施形態に係る静電気保護部品１Ａ同様、略直方体形状を呈する素体４と、素体４の外表面に配置された外部電極５〜１０と、素体４の内部に配置されたコイルＬ１，Ｌ２と、を備えている。素体４と、外部電極５〜１０とコイルＬ１，Ｌ２の構成は、第１実施形態と同様である（図１及び図２参照）。図１６〜図１８に示されるように、第５実施形態に係る静電気保護部品１Ｅでは、第１〜第４放電部を含む部分の構成が、第１実施形態に係る静電気保護部品１Ａとは異なっている。具体的には、静電気保護部品１Ａでは、第１〜第４放電部の位置が、コイルＬ１，Ｌ２に対して積層方向で片側に配置されているが、本実施形態に係る静電気保護部品１Ｅは、第１〜第４放電部の位置が、コイルＬ１，Ｌ２に対して積層方向で両側に配置されている。静電気保護部品１Ａにおいて備えている対向電極１２，１４，１６，１８、グラウンド電極２０、第１放電部ＧＰ１、第２放電部ＧＰ２、第３放電部ＧＰ３、第４放電部ＧＰ４、放電誘発部２４，２５、及び、空洞部２６〜２９の代わりに、静電気保護部品１Ｅは、対向電極９３，９４，９５，９６、グラウンド電極９７，９９、第１放電部ＧＰ１７、第２放電部ＧＰ１８、第３放電部ＧＰ１９、第４放電部ＧＰ２０、放電誘発部１０１〜１０４と、及び、空洞部１０５〜１０８を備えている。
【０１１５】
対向電極９３及び対向電極９４は、積層方向において、コイルＬ１，Ｌ２よりも素体４の側面４ｄに近い位置に配置されている。対向電極９３は、素体４の長手方向における、端面４ｂよりも端面４ａに近い位置で、且つ、素体４の短手方向における、側面４ｆよりも側面４ｅに近い位置で配置されている。対向電極９３は、Ｌ字形状を有している。対向電極９３は、第１引出部９３ａ及び第１対向部９３ｂを有している。第１引出部９３ａと第１対向部９３ｂとは、同一の絶縁体層１１に配置されている。第１引出部９３ａは、素体４の短手方向に沿って延在している。第１引出部９３ａの端部９３ｃは、素体４の側面４ｅ側に引き出され、当該側面４ｅに露出しており、外部電極５に接続される。第１対向部９３ｂは、素体４の長手方向に沿って延在している。
【０１１６】
対向電極９４は、素体４の長手方向における、端面４ａよりも端面４ｂに近い位置で、且つ、素体４の短手方向における、側面４ｅよりも側面４ｆに近い位置で配置されている。対向電極９４は、Ｌ字形状を有している。対向電極９４は、第１引出部９４ａ及び第１対向部９４ｂを有している。第１引出部９４ａ及び第１対向部９４ｂは、いずれも対向電極９３の第１対向部９３ｂが配置された層と同一の絶縁体層１１に配置されている。即ち、第１引出部９４ａと第１対向部９４ｂとは、同一の絶縁体層１１に配置されている。第１引出部９４ａは、素体４の短手方向に沿って延在している。第１引出部９４ａの端部９４ｃは、素体４の側面４ｆ側に引き出され、当該側面４ｆに露出しており、外部電極８に接続される。第１対向部９４ｂは、素体４の長手方向に沿って延在している。
【０１１７】
対向電極９５及び対向電極９６は、積層方向において、コイルＬ１，Ｌ２よりも素体４の側面４ｃに近い位置に配置されている。対向電極９５は、素体４の長手方向における、端面４ｂよりも端面４ａに近い位置で、且つ、素体４の短手方向における、側面４ｅよりも側面４ｆに近い位置で配置されている。対向電極９５は、Ｌ字形状を有している。対向電極９５は、第１引出部９５ａ及び第１対向部９５ｂを有している。第１引出部９５ａ及び第１対向部９５ｂは、いずれも対向電極９３の第１対向部９３ｂが配置された層とは別の絶縁体層１１配置されている。第１引出部９５ａと第１対向部９５ｂとは、同一の絶縁体層１１に配置されている。第１引出部９５ａは、素体４の短手方向に沿って延在している。第１引出部９５ａの端部９５ｃは、素体４の側面４ｆ側に引き出され、当該側面４ｆに露出しており、外部電極６に接続される。第１対向部９５ｂは、素体４の長手方向に沿って延在している。
【０１１８】
対向電極９６は、素体４の長手方向における、端面４ａよりも端面４ｂに近い位置で、且つ、素体４の短手方向における、側面４ｆよりも側面４ｅに近い位置で配置されている。対向電極９６は、Ｌ字形状を有している。対向電極９６は、第１引出部９６ａ及び第１対向部９６ｂを有している。第１引出部９６ａ及び第１対向部９６ｂは、いずれも対向電極９５の第１対向部９５ｂが配置された層と同一の絶縁体層１１に配置されている。即ち、第１引出部９６ａと第１対向部９６ｂとは、同一の絶縁体層１１に配置されている。第１引出部９６ａは、素体４の短手方向に沿って延在している。第１引出部９６ａの端部９６ｃは、素体４の側面４ｅ側に引き出され、当該側面４ｅに露出しており、外部電極７に接続される。第１対向部９６ｂは、素体４の長手方向に沿って延在している。
【０１１９】
グラウンド電極９７は、積層方向において、コイルＬ１，Ｌ２よりも素体４の側面４ｃに近い位置に配置されている。グラウンド電極９７は、第２引出部９７ａ、第２対向部９７ｂ、及び第２対向部９７ｃを有している。第２引出部９７ａは、対向電極９３の第１対向部９３ｂ及び対向電極９４の第１対向部９４ｂが配置された層とコイルＬ１，Ｌ２が配置された層との間の絶縁体層１１に配置されている。第２対向部９７ｂは、対向電極９３の第１対向部９３ｂが配置された層と同一の絶縁体層１１に配置されている。第２対向部９７ｃは、対向電極９４の第１対向部９４ｂが配置された層と同一の絶縁体層１１に配置されている。即ち、第２引出部９７ａと、第２対向部９７ｂ及び第２対向部９７ｃとは、互いに異なる絶縁体層１１に配置されている。
【０１２０】
第２引出部９７ａは、素体４の短手方向における、略中央の位置に配置され、素体４の長手方向に延在している。第２引出部９７ａの端部９７ｅは、素体４の端面４ａ側に引き出され、当該端面４ａに露出しており、外部電極９に接続される。第２引出部９７ａの端部９７ｆは、素体４の端面４ｂ側に引き出され、当該端面４ｂに露出しており、外部電極１０に接続される。
【０１２１】
第２対向部９７ｂ及び第２対向部９７ｃは、それぞれ素体４の長手方向に延在すると共に、それぞれの一端が素体４の短手方向に延在するように曲げられて接続することにより、接続部９７ｄを構成している。接続部９７ｄは、スルーホール導体９８を介して第２引出部９７ａに電気的に接続される。即ち、第２対向部９７ｂ及び第２対向部９７ｃは、スルーホール導体９８を介して第２引出部９７ａに電気的に接続される。
【０１２２】
第２対向部９７ｂは、対向電極９３の第１対向部９３ｂよりも、第１引出部９３ａが露出する側の素体４の外表面である側面４ｅに近い位置に配置されている。つまり、第１対向部９３ｂは、第２対向部９７ｂに比して、素体４の外表面である側面４ｅから離れて配置されている。第１引出部９３ａにおける、素体４の側面４ｅ側から第１対向部９３ｂ側までの長さは、即ち、対向電極９３における、素体４の側面４ｅへ露出する部分から第１対向部９３ｂ側までの距離である。
【０１２３】
第２対向部９７ｃは、対向電極９４の第１対向部９４ｂよりも、第１引出部９４ａが露出する側の素体４の外表面である側面４ｆに近い位置に配置されている。つまり、第１対向部９４ｂは、第２対向部９７ｂに比して、素体４の外表面である側面４ｆから離れて配置されている。第１引出部９４ａにおける、素体４の側面４ｆ側から第１対向部９４ｂ側までの長さは、即ち、対向電極９４における、素体４の側面４ｆへ露出する部分から第１対向部９４ｂ側までの距離である。
【０１２４】
第２対向部９７ｂは、対向電極９３の第１対向部９３ｂと離間して対向配置されている。これにより、対向電極９３の第１対向部９３ｂとグラウンド電極９７の第２対向部９７ｂとの間に第１放電部ＧＰ１７が形成される（図１７参照）。第２対向部９７ｃは、対向電極９４の第１対向部９４ｂと離間して対向配置されている。これにより、対向電極９４の第１対向部９４ｂとグラウンド電極９７の第２対向部９７ｃとの間に第２放電部ＧＰ１８が形成される（図１８参照）。このような構成により、外部電極５及び外部電極９の間に所定以上の電圧が印加されると、第１放電部ＧＰ１７において放電が生じる。同様にして、外部電極８及び外部電極１０の間に所定以上の電圧が印加されると、第２放電部ＧＰ１８において放電が生じる。
【０１２５】
グラウンド電極９９は、第２引出部９９ａ、第２対向部９９ｂ、及び第２対向部９９ｃを有している。第２引出部９９ａは、対向電極９３の第１対向部９３ｂ及び対向電極９４の第１対向部９４ｂが配置された層よりも素体４の側面４ｃに近い側の絶縁体層１１に配置されている。第２対向部９９ｂは、対向電極９５の第１対向部９５ｂが配置された層と同一の絶縁体層１１に配置されている。第２対向部９９ｃは、対向電極９６の第１対向部９６ｂが配置された層と同一の絶縁体層１１に配置されている。即ち、第２引出部９９ａと、第２対向部９９ｂ及び第２対向部９９ｃとは、互いに異なる絶縁体層１１に配置されている。
【０１２６】
第２引出部９９ａは、素体４の短手方向における、略中央の位置に配置され、素体４の長手方向に延在している。第２引出部９９ａの端部９９ｅは、素体４の端面４ａ側に引き出され、当該端面４ａに露出しており、外部電極９に接続される。第２引出部９９ａの端部９９ｆは、素体４の端面４ｂ側に引き出され、当該端面４ｂに露出しており、外部電極１０に接続される。
【０１２７】
第２対向部９９ｂ及び第２対向部９９ｃは、それぞれ素体４の長手方向に延在すると共に、それぞれの一端が素体４の短手方向に延在するように曲げられて接続することにより、接続部９９ｄを構成している。接続部９９ｄは、スルーホール導体１００を介して第２引出部９９ａに電気的に接続される。即ち、第２対向部９９ｂ及び第２対向部９９ｃは、スルーホール導体１００を介して第２引出部９９ａに電気的に接続される。
【０１２８】
第２対向部９９ｂは、対向電極９５の第１対向部９５ｂよりも、第１引出部９５ａが露出する側の素体４の外表面である側面４ｆに近い位置に配置されている。つまり、第１対向部９５ｂは、第２対向部９９ｂに比して、素体４の外表面である側面４ｆから離れて配置されている。第１引出部９５ａにおける、素体４の側面４ｆ側から第１対向部９５ｂ側までの長さは、即ち、対向電極９５における、素体４の側面４ｆへ露出する部分から第１対向部９５ｂ側までの距離である。
【０１２９】
第２対向部９９ｃは、対向電極９６の第１対向部９６ｂよりも、第１引出部９６ａが露出する側の素体４の外表面である側面４ｅに近い位置に配置されている。つまり、第１対向部９６ｂは、第２対向部９９ｂに比して、素体４の外表面である側面４ｅから離れて配置されている。第１引出部９６ａにおける、素体４の側面４ｅ側から第１対向部９６ｂ側までの長さは、即ち、対向電極９６における、素体４の側面４ｅへ露出する部分から第１対向部９６ｂ側までの距離である。
【０１３０】
第２対向部９９ｂは、対向電極９５の第１対向部９５ｂと離間して対向配置されている。これにより、対向電極９５の第１対向部９５ｂとグラウンド電極９９の第２対向部９９ｂとの間に第３放電部ＧＰ１９が形成される（図１７参照）。第２対向部９９ｃは、対向電極９６の第１対向部９６ｂと離間して対向配置されている。これにより、対向電極９６の第１対向部９６ｂとグラウンド電極９９の第２対向部９９ｃとの間に第４放電部ＧＰ２０が形成される（図１８参照）。このような構成により、外部電極６及び外部電極９の間に所定以上の電圧が印加されると、第３放電部ＧＰ１９において放電が生じる。同様にして、外部電極７及び外部電極１０の間に所定以上の電圧が印加されると、第４放電部ＧＰ２０において放電が生じる。
【０１３１】
放電誘発部１０１は、第１放電部ＧＰ１７に位置し、第１放電部ＧＰ１７における放電を発生し易くする機能を有している。放電誘発部１０１は、対向電極９３の第１対向部９３ｂとグラウンド電極９７の第２対向部９７ｂとを接続している。放電誘発部１０２は、第２放電部ＧＰ１８に位置し、第２放電部ＧＰ１８における放電を発生し易くする機能を有している。放電誘発部１０２は、対向電極９４の第１対向部９４ｂとグラウンド電極９７の第２対向部９７ｂとを接続している。
【０１３２】
放電誘発部１０３は、第３放電部ＧＰ１９に位置し、第３放電部ＧＰ１９における放電を発生し易くする機能を有している。放電誘発部１０３は、対向電極９５の第１対向部９５ｂとグラウンド電極９９の第２対向部９９ｃとを接続している。放電誘発部１０４は、第４放電部ＧＰ２０に位置し、第４放電部ＧＰ２０における放電を発生し易くする機能を有している。放電誘発部１０４は、対向電極９６の第１対向部９６ｂとグラウンド電極９９の第２対向部９９ｃとを接続している。
【０１３３】
空洞部１０５は、第１放電部ＧＰ１７に形成されている。空洞部１０５は、第１対向部９３ｂ、第２対向部９７ｂ、絶縁体層１１、及び放電誘発部１０１の、放電時における熱膨張を吸収する機能を有する。空洞部１０６は、第２放電部ＧＰ１８に形成されている。空洞部１０６は、第１対向部９４ｂ、第２対向部９７ｂ、絶縁体層１１、及び放電誘発部１０２の、放電時における熱膨張を吸収する機能を有する。空洞部１０７は、第３放電部ＧＰ１９に形成されている。空洞部１０７は、第１対向部９５ｂ、第２対向部９９ｃ、絶縁体層１１、及び放電誘発部１０３の、放電時における熱膨張を吸収する機能を有する。空洞部１０８は、第４放電部ＧＰ２０に形成されている。空洞部１０８は、第１対向部９６ｂ、第２対向部９９ｃ、絶縁体層１１、及び放電誘発部１０４の、放電時における熱膨張を吸収する機能を有する。
【０１３４】
以上、本実施形態に係る静電気保護部品１Ｅにおいても、上記実施形態と同様の効果を奏する。
【０１３５】
以上、本発明の好適な実施形態について説明したが、本発明は上記実施形態に限定されるものではなく、各請求項に記載した要旨を変更しない範囲で変形し、又は他のものに適用したものであってもよい。
【０１３６】
例えば、静電気保護部品１Ａ〜１Ｅは、コイルＬ１，コイルＬ２を備えていなくてもよい。
【符号の説明】
【０１３７】
１Ａ，１Ｂ，１Ｃ，１Ｄ，１Ｅ…静電気保護部品、４…素体、５，６，７，８，９，１０…外部電極、１１…絶縁体層、１２，１４，１６，１８，３０，３１，３２，３３，６０，６２，６４，６６，７８，７９，８０，８１，９３，９４，９５，９６…対向電極、１２ａ，１４ａ，１６ａ，１８ａ，３０ａ，３１ａ，３２ａ，３３ａ，６０ａ，６２ａ，６４ａ，６６ａ，７８ａ，７９ａ，８０ａ，８１ａ，９３ａ，９４ａ，９５ａ，９６ａ…第１引出部、１２ｂ，１４ｂ，１６ｂ，１８ｂ，３０ｂ，３１ｂ，３２ｂ，３３ｂ，６０ｂ，６２ｂ，６４ｂ，６６ｂ，７８ｂ，７９ｂ，８０ｂ，８１ｂ，９３ｂ，９４ｂ，９５ｂ，９６ｂ…第１対向部、１３，１５，１７，１９，２１，２２，３５，８３，９８，１００…スルーホール導体、２０，３４，６８，８２，９７，９９…グラウンド電極、２０ａ，２０ｂ，３４ａ，６８ａ，８２ａ，９７ａ，９９ａ…第２引出部、２０ｃ，２０ｄ，３４ｂ，３４ｃ，６８ｂ，６８ｃ，８２ｂ，８２ｃ，９７ｂ，９７ｃ，９９ｂ，９９ｃ…第２対向部、ＧＰ１，ＧＰ５，ＧＰ９，ＧＰ１３，ＧＰ１７…第１放電部、ＧＰ２，ＧＰ６，ＧＰ１０，ＧＰ１４，ＧＰ１８…第２放電部、ＧＰ３，ＧＰ７，ＧＰ１１，ＧＰ１５，ＧＰ１９…第３放電部、ＧＰ４，ＧＰ８，ＧＰ１２，ＧＰ１６，ＧＰ２０…第４放電部。
【図１】
2015125914.tif 000003
【図２】
2015125914.tif 000004
【図３】
2015125914.tif 000005
【図４】
2015125914.tif 000006
【図５】
2015125914.tif 000007
【図６】
2015125914.tif 000008
【図７】
2015125914.tif 000009
【図８】
2015125914.tif 000010
【図９】
2015125914.tif 000011
【図１０】
2015125914.tif 000012
【図１１】
2015125914.tif 000013
【図１２】
2015125914.tif 000014
【図１３】
2015125914.tif 000015
【図１４】
2015125914.tif 000016
【図１５】
2015125914.tif 000017
【図１６】
2015125914.tif 000018
【図１７】
2015125914.tif 000019
【図１８】
2015125914.tif 000020